(57)【特許請求の範囲】
【請求項１】
二次電池（３）と、この二次電池（３）に直接にあるいはスイッチング素子（４）を介して接続している出力端子（５）と、装着される電気機器（３０）にパック電池の真贋を判別する信号を出力する真贋判別回路（７）とを内蔵するパック電池であって、
真贋判別回路（７）は二次電池（３）から電力を供給せず、かつ二次電池（３）と出力端子（５）には接続されず、パック電池が装着される電気機器（３０）から送信される起動電波を受信する受信部（１１）と、受信部（１１）が起動電波を受信すると真贋を判別する信号として、真贋判別電波を送信する送信部（１２）と、パック電池を装着する電気機器（３０）から送信される起動電波を直流電力に変換して受信部（１１）と送信部（１２）とに電力を供給する電源部（１０）を備えており、
真贋判別回路（７）は、パック電池が電気機器（３０）に装着されて電気機器（３０）から起動電波が送信されると、電源部（１０）が受信部（１１）と送信部（１２）とに電力を供給して、送信部（１２）が真贋判別電波を送信して真贋判別するようにしてなる真贋判別回路を備えるパック電池。
【請求項２】
真贋判別回路（７）を、ＩＣチップの真贋判別チップ（１８）としてパック電池に内蔵している請求項１に記載の真贋判別回路を備えるパック電池。
【請求項３】
二次電池（３）の一部または全体をインサートして固定しているプラスチックケース（２）に真贋判別チップ（１８）をインサートして固定している請求項２に記載の真贋判別回路を備えるパック電池。
【請求項４】
パック電池が、無線送信部（３２）と無線受信部（３１）とを内蔵する携帯通信機器に脱着されるもので、内蔵している真贋判別回路（７）が、パック電池を装着する携帯通信機器の無線送信部（３２）と無線受信部（３１）との間で通信して、真贋を判別するようにしてなる請求項１に記載の真贋判別回路を備えるパック電池。
【請求項５】
真贋判別回路（７）がマイクロ波の起動電波を受信して、マイクロ波の真贋判別電波を送信する請求項１に記載の真贋判別回路を備えるパック電池。
【請求項６】
真贋判別チップ（１８）がアンテナ（１３）を内蔵する請求項２に記載の真贋判別回路を備えるパック電池。
【請求項７】
真贋判別チップ（１８）がアンテナ出力端子（１９）を備え、このアンテナ出力端子（１９）にアンテナ（１３）を接続している請求項２に記載の真贋判別回路を備えるパック電池。
【請求項８】
パック電池がホルダー（２１）を内蔵しており、このホルダー（２１）に真贋判別回路（７）を装着している請求項１に記載の真贋判別回路を備えるパック電池。
【請求項９】
真贋判別チップ（１８）を連結しているホルダー（２１）をプラスチックケース（２）にインサートしている請求項２に記載の真贋判別回路を備えるパック電池。
【請求項１０】
真贋判別チップ（１８）を、プラスチックケース（２）に接着しているシール（２３）でケース表面に固定している請求項２に記載の真贋判別回路を備えるパック電池。
【請求項１１】
真贋判別チップ（１８）を二次電池（３）の外装缶から離して配設している請求項２に記載の真贋判別回路を備えるパック電池。
【請求項１２】
真贋判別チップ（１８）と二次電池（３）の外装缶との間に絶縁材を介在させてなる請求項１１に記載の真贋判別回路を備えるパック電池。
【請求項１３】
真贋判別回路（７）がＢｌｕｅｔｏｏｔｈ通信方式で真贋判別電波を送信する請求項１に記載の真贋判別回路を備えるパック電池。
【請求項１４】
真贋判別回路（７）の送信部（１２）が、ＩＤ信号でキャリアを変調した真贋判別電波を送信する請求項１に記載の真贋判別回路を備えるパック電池。
【請求項１５】
二次電池（３）の保護回路（６）を内蔵しており、この保護回路（６）に二次電池（３）から電力を供給する請求項１に記載の真贋判別回路を備えるパック電池。
【発明の詳細な説明】
【０００１】
【発明の属する技術分野】
本発明は、純正品と模造品とを識別できる真贋判別回路を備えるパック電池に関する。
【０００２】
【従来の技術】
パック電池は、電気機器に脱着できるように装着されて機器に電力を供給し、あるいは充電器に装着されて充電される。このパック電池は、装着される機器の駆動電圧や駆動電流等に対応して種々の定格のものを製造している。このようなパック電池は、出力電圧や容量が異なるために、充電にあたってはそれぞれのパック電池に応じて最適な充電電流や充電時間を設定している。このため、パック電池に適合する多種多様の充電器が開発されている。電気機器や充電器の定格に合致しないパック電池が取り付けられてしまった場合、電気機器の誤動作または過充電や充電不足等の充電ミスを招くおそれがある。さらに、電気機器や充電器の故障につながったり、このような充放電を繰り返すことにより電池パックの寿命を早めたりすることが予想される。したがって、電気機器や充電器の定格に合った電池パックしか取りつけられないような対策が必要とされていた。
【０００３】
【発明が解決しようとする課題】
純正品か模造品かの真贋を判別するために、大別してふたつのタイプのパック電池が開発されている。第１のタイプは、例えば、実開昭６３−１１８１６２号公報に示されるものである。このパック電池は、電気機器に係止する面に凹凸部を設けて、機械的な形状で真贋を判別する。このパック電池は、凹凸部を電気機器に嵌合して、電気機器への装着を制限する。その結果、電気機器の定格に合った電池パックを取りつけることができ、電気機器の誤動作等を防止するといった効果がある。
【０００４】
しかしながら機械的な嵌合構造で種類を区別するパック電池は、電気機器とパック電池とに凹凸部を設けるので、電池パックの外装ケースの成形が複雑になるばかりか、電池パックの種類に応じて外装ケースが異なるので多量生産に適さない等の欠点がある。さらに、外形を同じにする模造品と純正品とを識別できない欠点もある。劣悪な模造品は、不良品としてメーカーやサービスセンター等に回収されるが、このとき、外形を同じにする模造品と純正品とを識別するためには、分解して内蔵部品等を確認する必要があって、識別に時間と経費がかかってしまう。
【０００５】
この欠点は、特開平５−１９８２９３号公報に記載されるように、電気的に真贋を判別する構造で解消できる。電気的に真贋を判別するパック電池は、電気機器との間で、ＩＤ等の信号を通信する真贋判別回路を内蔵する。さらに、真贋判別回路から出力される真贋信号を出力する信号端子を設けている。このパック電池は、電気機器や充電器に装着されると、パック電池の信号端子が電気機器や充電器に設けている信号端子に接触する。このとき、パック電池の真贋判別回路は互いに接触する信号端子を介して電気機器や充電器と信号を伝送して、真贋を判別する。このパック電池は、信号端子を介して電気信号を授受して、正常なパック電池であるかどうかを判別できる。
【０００６】
しかしながら、このパック電池は、真贋判別回路を二次電池で駆動するために、この回路が電力を消費する欠点がある。真贋判別回路が消費する電力は、パック電池に内蔵される二次電池を過放電させる原因となる。とくに、パック電池は、真贋判別回路にのみでなく、電池を過充電や過放電から防止する保護回路等も内蔵しているので、保護回路と真贋判別回路の両方が電力を消費すると、過放電しやすくなる弊害がある。電池の保護回路は、つねに電池の状態を監視するために、二次電池を消費することを避けることはできない。ただ、真贋判別回路はパック電池を装着したときにのみ、純正品かどうかを判別するものであって、動作する時間が極めて限られている。このことから、真贋判別回路の電力消費はできるかぎり少なくする必要があるが、回路構成による電力削減には限界があり、電力消費を０にはできない。さらに、このパック電池は、信号端子を介して真贋信号を電気機器との間で授受するので、信号端子が接触不良を起こすと、正常に使用できるものであっても、使用できなくなる欠点がある。
【０００７】
本発明は、このような欠点を解決することを目的に開発されたものである。本発明の重要な目的は、パック電池に内蔵される二次電池を消費することなく真贋を判別でき、さらに端子の接触不良などが原因で誤動作することのない真贋判別回路を内蔵するパック電池を提供することにある。
また、本発明の他の大切な目的は、真贋判別回路の内蔵位置に制約がなく、簡単かつ容易に、しかも能率よく安価に多量生産できる真贋判別回路を備えるパック電池を提供することにある。
【０００８】
【課題を解決するための手段】
本発明のパック電池は、二次電池３と、この二次電池３に直接に接続され、あるいはスイッチング素子４を介して接続している出力端子５と、装着される電気機器３０にパック電池の真贋を判別する特定信号を出力する真贋判別回路７とを内蔵する。真贋判別回路７には二次電池３から電力を供給しない。さらに、この真贋判別回路７は、二次電池３と出力端子５にも接続されない。この真贋判別回路７は、装着される機器から送信される起動電波を受信する受信部１１と、受信部１１が起動電波を受信すると真贋を判別する特定信号として、特定信号でキャリアを変調している真贋判別電波を送信する送信部１２と、パック電池を装着する機器から送信される起動電波を直流電力に変換して受信部１１と送信部１２とに電力を供給する電源部１０を備えている。真贋判別回路７は、パック電池を電気機器３０に装着するとき、電気機器３０から送信される起動電波を受信して、電源部１０が受信部１１と送信部１２とに電力を供給し、送信部１２が真贋判別電波を送信して真贋判別するようにしている。
【０００９】
本発明の請求項２のパック電池は、真贋判別回路７を、ＩＣチップの真贋判別チップ１８とする。このパック電池は、真贋判別回路７の全体を小さいＩＣチップにできるので、真贋判別回路７をパック電池にできる狭いスペースに収納できる。
【００１０】
本発明の請求項３のパック電池は、二次電池３の一部または全体をプラスチックケース２にインサートして固定している。さらに、このプラスチックケース２に真贋判別チップ１８をもインサートして固定している。このパック電池は、プラスチックケース２を成形するときに真贋判別チップ１８を埋設して固定できる。
【００１１】
本発明の請求項４のパック電池は、無線送信部３２と無線受信部３１とを内蔵する携帯通信機器に脱着できるように装着されるもので、内蔵している真贋判別回路７は、パック電池を装着する携帯通信機器の無線送信部３２と無線受信部３１との間で通信して、真贋を判別する。このパック電池は、携帯通信機器の通信回路を利用して、真贋を判定できる。
【００１２】
本発明の請求項５のパック電池は、真贋判別回路７の電源部１０でマイクロ波の起動電波を受信し、受信した電力を直流に変換して受信部１１と送信部１２を動作状態とし、送信部１２でもってマイクロ波の真贋判別電波を送信する。このパック電池は、マイクロ波を受信し、また送信するので真贋判別回路７のアンテナ１３を小さくして効率よくできる。
【００１３】
本発明の請求項６のパック電池は、真贋判別チップ１８にアンテナ１３を内蔵しており、請求項７のパック電池は、真贋判別チップ１８にアンテナ出力端子を設けて、このアンテナ出力端子にアンテナ１３を接続している。
【００１４】
本発明の請求項８のパック電池は、内部にホルダー２１を内蔵しており、このホルダー２１に真贋判別回路７を装着している。このパック電池は、真贋判別回路７をホルダー２１でもって正確な位置に固定できる。
【００１５】
本発明の請求項９のパック電池は、真贋判別チップ１８をホルダー２１に連結し、このホルダー２１をプラスチックケース２にインサートして固定している。このパック電池は、インサート成形するときにホルダー２１を介して真贋判別チップ１８を正確な位置にしっかりと固定できる。
【００１６】
本発明の請求項１０のパック電池は、プラスチックケース２に接着しているシール２３で真贋判別チップ１８をケース表面に固定している。このパック電池は、製作されたプラスチックケース２の表面にシール２３を貼るときに、真贋判別チップ１８を固定するので、パック電池の製造工程を変更することなく、あるいはすでに製造しているパック電池に真贋判別チップ１８を簡単に固定できる。また、シール２３は薄いので、真贋判別チップ１８を表面に接近して固定できる。
【００１７】
本発明の請求項１１のパック電池は、真贋判別チップ１８を二次電池３の外装缶から離して配設している。さらに、本発明の請求項１２のパック電池は、真贋判別チップ１８と二次電池３の外装缶との間に絶縁材を介在させている。これらのパック電池は、真贋判別チップ１８が電池１の外装缶に接触しないので、電波の送受信の状態を良好にできる。
【００１８】
本発明の請求項１３のパック電池は、Ｂｌｕｅｔｏｏｔｈ通信方式（登録商標）で真贋判別電波を電気機器３０に送信する。Ｂｌｕｅｔｏｏｔｈ通信方式は、極めて短時間に特定信号を伝送できる。さらに本発明の請求項１４のパック電池は、真贋判別回路７の送信部１２から、ＩＤ信号でキャリアを変調した真贋判別電波を送信する。ＩＣ信号は、パック電池を特定するコードである。
【００１９】
本発明の請求項１５のパック電池は、二次電池３を過充電や過放電や過電流から防止する保護回路６を内蔵している。このパック電池は、内蔵している二次電池３から保護回路６に電力を供給する。
【００２０】
【発明の実施の形態】
以下、本発明の実施例を図面に基づいて説明する。ただし、以下に示す実施例は、本発明の技術思想を具体化するためのパック電池を例示するものであって、本発明はパック電池を以下のものに特定しない。
【００２１】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００２２】
図１と図２に示すパック電池１は、携帯通信機器である電気機器３０に脱着できるように装着される。このパック電池１は、プラスチックケース２と、このプラスチックケース２に内蔵している二次電池３と、この二次電池３に直接あるいはスイッチング素子４を介して接続されてケース表面に表出する出力端子５と、プラスチックケース２に内蔵している二次電池３の保護回路６と、装着される電気機器３０にパック電池１の真贋を判別する信号を出力する真贋判別回路７とを備える。
【００２３】
パック電池１の回路図を図３に示す。このパック電池１は、二次電池３と出力端子５との間に、保護回路６に制御されたオンオフに切り換えられるスイッチング素子４を接続している。スイッチング素子４は、ＦＥＴやトランジスターである。保護回路６は、二次電池３に接続されて、二次電池３から電力が供給される。この保護回路６は、電池電圧を検出し、あるいは電池の充電電流と放電電流の積算値から残容量を演算して、電池の過充電と過放電と過電流を防止するようにスイッチング素子４をオンオフに制御する。さらに、図のパック電池１は、保護回路６に温度センサー８を接続している。温度センサー８は、二次電池３に接近して配設されて電池温度を検出する。このパック電池１は、電池温度が設定温度よりも高くなると、温度センサー８がこのことを検出してスイッチング素子４をオフに切り換える。したがって、電池温度が異常に高くなると電池電流が遮断される。
【００２４】
真贋判別回路７は、パック電池１が装着された電気機器３０と通信して純正品であることを示す特定信号を伝送する。この真贋判別回路７は、動作させるための電力を二次電池３からは供給されない。真贋判別回路７は、電気機器３０の起動電波を受信して電力を得る自己発電回路を内蔵している。したがって、この真贋判別回路７は、二次電池３に接続されず、さらに出力端子５と保護回路６にも接続されない。真贋判別回路７は、パック電池１に内蔵される全ての電気回路に接続されず、全ての回路から分離されて独立して動作する。
【００２５】
自己発電して動作する真贋判別回路７は、図４の回路図に示すように、パック電池を装着する電気機器である携帯通信機器から送信される起動電波を直流電力に変換する電源部１０を備える。さらに、真贋判別回路７は、電気機器３０が送信する起動電波を受信する受信部１１と、受信部１１が起動電波を受信すると真贋を判別する信号として、真贋判別電波を送信する送信部１２も備える。電源部１０は、自己発電した直流電力を受信部１１と送信部１２とに供給して、受信部１１と送信部１２を動作状態とする。
【００２６】
電源部１０は、図５の回路図に示すように、アンテナ１３に接続している同調回路１４の出力を整流する高周波特性の優れたダイオード１５と、ダイオード１５の出力を平滑にする平滑用のコンデンサー１６と、コンデンサー１６の出力電圧を安定化する安定化回路１７とを備える。アンテナ１３に接続して同調回路１４は、電気機器３０から送信される起動電波のキャリア周波数に同調している。このキャリア周波数は、マイクロ波またはミリ波である。電気機器とＢｌｕｅｔｏｏｔｈ通信方式で通信するパック電池の真贋判別回路７は、２．４５ＧＨｚである。
【００２７】
受信部１１は、アンテナ１３の同調回路で同調した起動電波を増幅すると共に、混合回路で低い周波数に変換してさらに狭い周波数帯域で起動電波のみを選択する高周波回路と、この高周波回路で増幅された信号を検波または復調して、起動電波に含まれる呼出信号を検出する復調回路とを備える。電気機器３０は、パック電池１が装着されたときに、特定の呼出信号でキャリアを変調して起動電波を送信する。受信部１１は、電気機器３０から送信される起動電波を受信して、起動電波に含まれる呼出信号を検出して送信部１２に出力する。
【００２８】
送信部１２は、特定信号を記憶しているＲＯＭと、受信部１１から呼出信号が入力されると、ＲＯＭに記憶している特定信号でキャリアを変調し、変調されたキャリアをアンテナ１３に供給して送信する変調送信回路とを備える。ＲＯＭは、パック電池を特定するための暗号化された特定信号を記憶している。
【００２９】
この真贋判別回路７は、パック電池を電気機器に装着して、電気機器３０から送信される起動電波を受信すると、電源部１０が受信部１１と送信部１２とに電力を供給して動作状態とする。動作状態となった受信部１１は、起動電波を受信して呼出信号を検出し、検出した呼出信号を送信部１２に入力する。呼出信号が入力された送信部１２は、ＲＯＭに記憶している特定信号でキャリアを変調して真贋判別電波をアンテナ１３から送信する。送信部１２から送信された特定信号は、パック電池を装着している電気機器に受信される。電気機器は、真贋判別電波から特定信号を検出し、この特定信号を、あらかじめ記憶している特定信号に比較して、受信した真贋判別電波の特定信号と、記憶している特定信号とが同じであるときはパック電池が純正品であるとし、同じでないときには純正品でないと判別をする。電気機器は、パック電池が純正品であると判別するときにかぎって、内蔵している電源スイッチ（図示せず）をオンとして、パック電池から電気機器に電力を供給できる状態とする。パック電池が純正品でないと判別するときは、電源スイッチをオフに保持して、パック電池から電力を供給しないようにする。
【００３０】
図１と図２に示すように、電気機器３０を携帯電話や携帯式の無線機である携帯通信機器とする場合は、携帯通信機器に内蔵している無線送信部３２で起動電波を送信し、無線受信部３１で特定信号を受信することができる。このため、真贋判別回路７との間で通信するために、専用の無線受信部と無線送信部を電気機器３０に設ける必要がない。携帯通信機器でない電気機器は、装着されるパック電池に内蔵される真贋判別回路と無線通信して、パック電池が純正品であるかどうかを判別する無線送信部と無線受信部を内蔵する。
【００３１】
パック電池を装着する電気機器が充電器のときは、充電器に無線送信部と無線受信部とを内蔵して、無線受信部で電源スイッチをオンオフに制御する。この充電器に純正品のパック電池が装着されると、真贋判別回路と充電器とが通信して、電源スイッチをオンにしてパック電池を充電できる状態とする。純正品でないときは、電源スイッチをオフにして充電できない状態に保持する。
【００３２】
パック電池に内蔵される真贋判別回路７は、図６に示すように、アンテナ１３を内蔵するＩＣチップの真贋判別チップ１８とし、あるいは図７に示すように、アンテナ１３を外付けとするＩＣチップの真贋判別チップ１８とする。アンテナ１３を外付けとする図７の真贋判別回路７は、真贋判別チップ１８にアンテナ出力端子１９を設けて、このアンテナ出力端子１９にアンテナ１３を接続している。この真贋判別回路７は、アンテナ１３を大きくして利得を大きくできるので、電気機器３０のアンテナ３３との間隔を大きくできる。アンテナ１３を内蔵する真贋判別チップ１８は、アンテナ１３が小さいので、図２に示すように、電気機器３０のアンテナ１３にできるかぎり接近させて、真贋判別回路７と電気機器３０との通信を確実にできる。ＩＣチップの真贋判別チップ１８は、二次電池３から離して配設される。二次電池３との間に所定の距離を設けて、真贋判別チップ１８が二次電池３の外装缶に接触するのを防止するためである。真贋判別チップは、二次電池の外装缶との間に絶縁材を介在させてパック電池に内蔵することもできる。このように、二次電池１３の外装缶から離れて配設される真贋判別チップ１８は、電波の送受信の状態を良好にできる。
【００３３】
図１と図２に示すパック電池１は、プラスチックケース２に、電池のコアパック２０をインサートして、二次電池３をプラスチックケース２の定位置に固定している。コアパック２０は、二次電池３に保護回路６等の必要な部品を連結したものである。さらに、これ等のパック電池は、図８と図９に示すように、コアパック２０に設けているホルダー２１に真贋判別チップ１８を装着して、これをパック電池の定位置に固定している。ホルダー２１は、プラスチックの成形品で、保護回路６の電子部品を実装している回路基板２２を二次電池３の定位置に連結し、あるいはパック電池の出力端子を定位置に固定するためにパック電池に内蔵される。回路基板２２を装着するホルダー２１は、回路基板２２を定位置に嵌着できる回路基板２２の嵌着部と、二次電池３を定位置に装着する嵌入部とを有する。出力端子を固定するホルダー２１は、出力端子である金属板を固定しており、さらに、回路基板２２や二次電池３を定位置に装着できる形状に成形されている。
【００３４】
図８のホルダー２１は、回路基板２２と二次電池３を嵌着しており、さらに表面側には真贋判別チップ１８を嵌入する凹部２１Ａを設けている。このホルダー２１を内蔵するパック電池は、真贋判別チップ１８を表面に接近して配設できる。このため、パック電池の真贋判別チップ１８を電気機器３０のアンテナ３３に接近して配設できると共に、真贋判別チップ１８を二次電池３の外装缶から離して配設できる特長がある。図の鎖線は、真贋判別チップ１８がホルダー２１から外れるのを阻止するために、表面に付着しているシール２３である。図９のホルダー２１は、真贋判別チップ１８を嵌入する凹部２１Ａを内面に設けている。ホルダー２１の内面に配設される真贋判別チップ１８は、プラスチックケース２を成形する樹脂２４に埋設するようにインサートされて所定の位置に固定される。ただ、真贋判別チップは、接着剤や粘着テープ等でホルダー内面の凹部に固定することもできる。このホルダー２１は、真贋判別チップ１８をしっかりと保護できる特長がある。
【００３５】
以上のように、真贋判別回路を備えるパック電池は、以下の工程で製作される。
（１）  保護回路６を実現する回路基板２２や保護素子等を二次電池３に連結して電池のコアパック２０を製作する。このコアパック２０は、ホルダー２１を介して回路基板２２や温度センサー８を電池の定位置に連結している。さらに、ホルダー２１の凹部２１Ａに真贋判別チップ１８も固定している。真贋判別チップ１８は、接着してホルダー２１に固定され、あるいはホルダー２１の凹部２１Ａに嵌入して固定され、あるいはまた、表面に真贋判別チップ１８よりも大きなシール２３を貼って固定される。
（２）  電池のコアパック２０を、開いた金型（図示せず）の成形室に仮り止めする。ホルダー２１を有するコアパック２０は、ホルダー２１を介して成形室の定位置に仮止できる。
（３）  金型を型締めして、成形室に溶融樹脂を注入してプラスチックケース２を成形する。成形室に注入する合成樹脂は、ポリアミドあるいはポリウレタン等の低温成形樹脂を使用する。これらの合成樹脂は、軟化温度が低く、しかも溶融時の粘度も低いので、他の合成樹脂に比較して、低温、低圧で成形できる。低温、低圧で成形されるプラスチックは、成形に要する時間を短縮できると共に、成形時における熱や射出圧による電子部品等への悪影響を低減できる。とくに、プラスチックケース２に、保護回路６と真贋判別回路７をインサート成形するパック電池においては、保護回路６と真贋判別回路７への熱の影響を少なくできる。
（４）  溶融樹脂を冷却して、成形されたプラスチックケース２を金型から脱型する。脱型されたプラスチックケース２は、コアパック２０をインサートして固定しており、コアパック２０のホルダー２１には、保護回路６と温度センサー８と真贋判別チップ１８を装着している。したがって、この方法で製造されたパック電池は、プラスチックケース２に二次電池３と保護回路６と温度センサー８と真贋判別回路７とを内蔵する。
【００３６】
以上のパック電池は、コアパック２０をプラスチックケース２にインサートして製造するので、安価に多量生産できる特長がある。このパック電池は、図９に示すように、真贋判別チップ１８をプラスチックケース２を成形する樹脂２４に埋設するようにインサートして、真贋判別回路７を外部から充分に保護できると共に、これを識別できないようにできる。ただし、本発明のパック電池は、二次電池３やコアパック２０をプラスチックケース２にインサートして製作したものに特定しない。二次電池や保護回路を、あらかじめ成形したプラスチックケースに収納し、あるいは、熱収縮チューブで被覆した構造とすることもできる。これ等のパック電池も、ホルダー２１に真贋判別チップ１８を装着して組み立てることができる。
【００３７】
さらに、パック電池は、図１０に示すように、プラスチックケース２の表面にシール２３で真贋判別チップ１８を接着して固定することも、また、図１１に示すように、プラスチックケース２の外側面に凹部２Ａを設けて、この凹部２Ａに真贋判別チップ１８を嵌入してシール２３で接着して固定することもできる。これらの図に示すパック電池は、極めて簡単にプラスチックケース２の表面に真贋判別チップ１８を固定できる特長がある。さらに、真贋判別チップ１８をプラスチックケース２の表面に配設できるので、真贋判別チップ１８を電気機器３０のアンテナ３３に接近して配設できると共に、真贋判別チップ１８を二次電池３の外装缶から離して配設できる特長がある。ただ、図示しないが、プラスチックケースは、内面に真贋判別チップを嵌入する凹部を設けることもできる。このパック電池は、真贋判別チップを外部から充分に保護できると共に、真贋判別チップを簡単に外部から取り外しできなくできる。
【００３８】
さらに、パック電池は、図１２に示す構造とすることもできる。このパック電池１は、二次電池３の両端部にプラスチック製のキャップ２５を被せると共に、これらのキャップ２５の開口端部を二次電池３の側面に付着したラベルシール２６で接着して固定している。このパック電池１は、二次電池３の一方の端面に、絶縁材２７を介して真贋判別チップ１８を配設しており、二次電池３の他方の端面に、端子基板２８を配設している。端子基板２８は、二次電池３に対向する面と反対側の面に出力端子２９を固定している。端子基板２８側に配設したキャップ２５は、出力端子２９を表出させる端子窓２５Ａを開口している。
【００３９】
さらに、図１３に示すパック電池１は、端子基板２８を二次電池３の側面に配置している。このパック電池１は、二次電池３の両端部にプラスチック製のキャップ２５を被せると共に、これらのキャップ２５の開口端縁を二次電池３の中央部まで延長している。さらに、上下のキャップ２５の開口端部を、パック電池１の側面に付着したラベルシール２６で接着して固定している。上下のキャップ２５は、二次電池３の側面に配設された端子基板２８の出力端子２９に対向する位置に、端子窓２５Ａを開口して出力端子２９を表出させている。
【００４０】
パック電池に内蔵される二次電池３は、リチウムイオン電池、ニッケル−水素電池、ニッケル−カドミウム電池等の充電できる二次電池である。
【００４１】
パック電池が故障したときは、図１４に示すように、パック電池１に内蔵している真贋判別回路７と通信して、純正品であるかどうかをリーダ３４で確認する。リーダ３４は、真贋判別回路７と通信して純正品であるかどうかを確認する回路、すなわちパック電池１に起動電波を送信する無線送信部と、パック電池１の真贋判別電波を受信する無線受信部とを内蔵しており、無線受信部で受信した真贋判別電波が純正品の特定信号であるかどうかを判別して、純正品であるかどうかを判定する。リーダ３４で純正品として判定したパック電池１は、故障を修理するが純正品でないパック電池１は、電気機器３０に使用できないので修理する必要がない。
【００４２】
【発明の効果】
本発明のパック電池は、パック電池に内蔵される二次電池を消費することなく真贋を判別できる特長がある。それは、本発明のパック電池が、装着される電気機器にパック電池の真贋を判別する信号を出力する真贋判別回路を内蔵しており、この真贋判別回路が、電気機器から送信される起動電波を受信する受信部と、受信部が起動電波を受信すると真贋判別電波を送信する送信部と、電気機器から送信される起動電波を直流電力に変換して受信部と送信部とに電力を供給する電源部を備えているからである。
【００４３】
この構造のパック電池は、内蔵する二次電池から真贋判別回路に電力を供給することなく、電気機器から送信される起動電波を電源部で直流電力に変換して受信部と送信部に供給するので、内蔵される二次電池を消費することがない。このため、真贋判別回路の電力消費に起因する、二次電池の過放電を確実に阻止できる。しかも、この真贋判別回路は、二次電池や出力端子に接続することなく、電気機器との間で電波の送受信によって信号の交換を行っているので、端子の接触不良などが原因で起こる誤動作を皆無にできる。さらにまた、このパック電池は、真贋判別回路の配線が不要になるので、真贋判別回路の内蔵位置に制約がなく、簡単かつ容易に、しかも能率よく安価に多量生産できる特長がある。
【００４４】
さらに、本発明のパック電池は、特定の電波を送受信することによって模造品と純正品とを真贋判別できるので、外形を同じとするパック電池であっても、分解することなく簡単かつ正確に模造品と純正品とを識別できる。このため、模造品と純正品との識別にかかる時間や経費を極減して粗悪な不良品を有効に排除できる。
【図面の簡単な説明】
【図１】本発明の一実施例のパック電池を電気機器に装着する状態を示す側面図
【図２】本発明の他の実施例のパック電池を電気機器に装着する状態を示す側面図
【図３】真贋判別回路を備えるパック電池の一例を示す回路図
【図４】真贋判別回路の一例を示すブロック図
【図５】真贋判別回路の電源部の一例を示す回路図
【図６】真贋判別回路を実現する真贋判別チップの一例を示す概略構成図
【図７】真贋判別回路を実現する真贋判別チップの他の一例を示す平面図
【図８】真贋判別チップを装着したコアパックの一例を示す要部拡大断面図
【図９】真贋判別チップを装着したコアパックの他の一例を示す要部拡大断面図
【図１０】真贋判別チップを装着したパック電池の一例を示す要部拡大側面図
【図１１】真贋判別チップを装着したパック電池の他の一例を示す要部拡大断面図
【図１２】真贋判別チップを内蔵するパック電池の他の一例を示す断面図
【図１３】真贋判別チップを内蔵するパック電池の他の一例を示す断面図
【図１４】パック電池に内蔵している真贋判別回路と通信して真贋判別する状態を示す概略斜視図
【符号の説明】
１…パック電池
２…プラスチックケース    ２Ａ…凹部
３…二次電池
４…スイッチング素子
５…出力端子
６…保護回路
７…真贋判別回路
８…温度センサー
１０…電源部
１１…受信部
１２…送信部
１３…アンテナ
１４…同調回路
１５…ダイオード
１６…コンデンサー
１７…安定化回路
１８…真贋判別チップ
１９…アンテナ出力端子
２０…コアパック
２１…ホルダー            ２１Ａ…凹部
２２…回路基板
２３…シール
２４…樹脂
２５…キャップ            ２５Ａ…端子窓
２６…ラベルシール
２７…絶縁材
２８…端子基板
２９…出力端子
３０…電気機器
３１…無線受信部
３２…無線送信部
３３…アンテナ
３４…リーダ
【図１】
0003625799.tif 000002
【図２】
0003625799.tif 000003
【図３】
0003625799.tif 000004
【図４】
0003625799.tif 000005
【図５】
0003625799.tif 000006
【図６】
0003625799.tif 000007
【図７】
0003625799.tif 000008
【図８】
0003625799.tif 000009
【図９】
0003625799.tif 000010
【図１０】
0003625799.tif 000011
【図１１】
0003625799.tif 000012
【図１２】
0003625799.tif 000013
【図１３】
0003625799.tif 000014
【図１４】
0003625799.tif 000015